(57)【要約】【課題】無線通信システムにおいて端末が隣接セルからの干渉を除去する方法を提供する。【解決手段】前記隣接セルの干渉信号を検出するためのパラメータ組合せのうち一つを示す、一つ以上の干渉除去アシスト情報を受信するステップと、前記一つ以上の干渉除去アシスト情報に基づいて、前記隣接セルからの干渉信号を検出するステップと、サービングセルから受信した信号から前記干渉信号を除去するステップとを有し、前記干渉信号は、前記隣接セルの下りリンクデータチャネル又は前記隣接セルの下りリンク制御チャネルであり、前記パラメータ組合せは、上位層で設定される、方法を提供する。【選択図】図１３
2016533680.tif 000002
【特許請求の範囲】
【請求項１】
無線通信システムにおいて端末により隣接セルからの干渉を除去する方法であって、
前記隣接セルからの干渉信号を検出するための複数のパラメータ組合せのうち一つを示す一つ以上の干渉除去アシスト情報を受信するステップと、
前記一つ以上の干渉除去アシスト情報に基づいて、前記隣接セルからの干渉信号を検出するステップと、
サービングセルから受信した信号から前記干渉信号を除去するステップと、
を有し、
前記干渉信号は、前記隣接セルの下りリンクデータチャネル又は前記隣接セルの下りリンク制御チャネルであり、
前記複数のパラメータ組合せは、上位層を介して設定される、干渉除去方法。
【請求項２】
前記パラメータ組合せは、前記干渉信号の変調次数に関する情報、前記干渉信号を復調するための参照信号に関する情報、及びサブフレームで前記干渉信号が始まるシンボルインデックスに関する情報のうち少なくとも一つを含む、請求項１に記載の干渉除去方法。
【請求項３】
前記一つ以上の干渉除去アシスト情報は、前記隣接セルからの下りリンク制御チャネルを介して放送される、請求項１に記載の干渉除去方法。
【請求項４】
前記隣接セルの下りリンクデータチャネル及び前記隣接セルの下りリンク制御チャネルは、サブフレームの同一領域を介して検出される、請求項１に記載の干渉除去方法。
【請求項５】
前記一つ以上の干渉除去アシスト情報は、それぞれ異なるサブバンドに対応する、請求項１に記載の干渉除去方法。
【請求項６】
無線通信システムにおける端末であって、
ネットワークと信号を送受信するための無線通信モジュールと、
前記信号を処理するためのプロセッサと、
を備え、
前記プロセッサは、
前記隣接セルからの干渉信号を検出するための複数のパラメータ組合せのうち一つを示す一つ以上の干渉除去アシスト情報を受信し、前記一つ以上の干渉除去アシスト情報に基づいて前記隣接セルからの干渉信号を検出し、サービングセルから受信した信号から前記干渉信号を除去するように前記無線通信モジュールを制御し、
前記干渉信号は、前記隣接セルの下りリンクデータチャネル又は前記隣接セルの下りリンク制御チャネルであり、
前記複数のパラメータ組合せは、上位層を介して設定される、端末。
【請求項７】
前記パラメータ組合せは、前記干渉信号の変調次数に関する情報、前記干渉信号を復調するための参照信号に関する情報、及びサブフレームで前記干渉信号が始まるシンボルインデックスに関する情報のうち少なくとも一つを含む、請求項６に記載の端末。
【請求項８】
前記一つ以上の干渉除去アシスト情報は、前記隣接セルからの下りリンク制御チャネルを介して放送される、請求項６に記載の端末。
【請求項９】
前記隣接セルの下りリンクデータチャネル及び前記隣接セルの下りリンク制御チャネルは、サブフレームの同一領域を介して検出される、請求項６に記載の端末。
【請求項１０】
前記一つ以上の干渉除去アシスト情報は、それぞれ異なるサブバンドに対応する、請求項６に記載の端末。
【発明の詳細な説明】
【技術分野】
【０００１】
本発明は、無線通信システムに関し、特に、無線通信システムにおいてＵＥが隣接セルからの干渉を除去する方法及びそのための装置に関する。
【背景技術】
【０００２】
本発明を適用できる無線通信システムの一例として、３ＧＰＰ ＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ；以下、「ＬＴＥ」という。）通信システムについて概略的に説明する。
【０００３】
図１は、無線通信システムの一例としてＥ−ＵＭＴＳネットワーク構造を概略的に示す図である。Ｅ−ＵＭＴＳ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）は、既存のＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）から進展したシステムであり、現在３ＧＰＰで基礎的な標準化作業が進行中である。一般に、Ｅ−ＵＭＴＳをＬＴＥ（Ｌｏｎｇ  Ｔｅｒｍ  Ｅｖｏｌｕｔｉｏｎ）システムと呼ぶこともできる。ＵＭＴＳ及びＥ−ＵＭＴＳの技術規格（ｔｅｃｈｎｉｃａｌ  ｓｐｅｃｉｆｉｃａｔｉｏｎ）の詳細な内容はそれぞれ、「３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ」のＲｅｌｅａｓｅ ７及びＲｅｌｅａｓｅ ８を参照すればよい。
【０００４】
図１を参照すると、Ｅ−ＵＭＴＳは、端末（Ｕｓｅｒ  Ｅｑｕｉｐｍｅｎｔ；ＵＥ）、基地局（ｅＮｏｄｅＢ；ｅＮＢ）、及びネットワーク（Ｅ−ＵＴＲＡＮ）の終端に位置して外部ネットワークに接続するアクセスゲートウェイ（Ａｃｃｅｓｓ  Ｇａｔｅｗａｙ；ＡＧ）を含んでいる。基地局は、ブロードキャストサービス、マルチキャストサービス及び／又はユニキャストサービスのために多重データストリームを同時に送信することができる。
【０００５】
一つの基地局には一つ以上のセルが存在する。セルは、１．２５、２．５、５、１０、１５、２０ＭＨｚなどの帯域幅のいずれか一つに設定され、複数のＵＥに下り又は上り送信サービスを提供する。異なったセルは、互いに異なった帯域幅を提供するように設定されればよい。基地局は、複数のＵＥに対するデータ送受信を制御する。下りリンク（Ｄｏｗｎｌｉｎｋ；ＤＬ）データについて、基地局は下りリンクスケジューリング情報を送信し、該当のＵＥにデータが送信される時間／周波数領域、符号化、データサイズ、ＨＡＲＱ（Ｈｙｂｒｉｄ  Ａｕｔｏｍａｔｉｃ  Ｒｅｐｅａｔ  ａｎｄ  ｒｅＱｕｅｓｔ）関連情報などを知らせる。また、上りリンク（Ｕｐｌｉｎｋ；ＵＬ）データについて、基地局は上りリンクスケジューリング情報を該当のＵＥに送信し、該当のＵＥが使用可能な時間／周波数領域、符号化、データサイズ、ＨＡＲＱ関連情報などを知らせる。基地局同士の間には、ユーザトラフィック又は制御トラフィックの送信のためのインターフェースを用いることができる。コアネットワーク（Ｃｏｒｅ  Ｎｅｔｗｏｒｋ；ＣＮ）は、ＡＧ、及びＵＥのユーザ登録などのためのネットワークノードなどで構成可能である。ＡＧは、複数のセルで構成されるＴＡ（Ｔｒａｃｋｉｎｇ  Ａｒｅａ）単位にＵＥの移動性を管理する。
【０００６】
無線通信技術は、ＷＣＤＭＡに基づいてＬＴＥにまで開発されてきたが、ユーザと事業者の要求と期待は増す一方である。その上、他の無線接続技術の開発が続いており、将来、競争力を持つためには新しい技術進化が要求される。ビット当たりのコストの削減、サービス可用性の増大、柔軟な周波数バンドの使用、単純構造と開放型インターフェース、ＵＥの適度な電力消耗などが要求される。
【発明の概要】
【発明が解決しようとする課題】
【０００７】
上述したような議論に基づき、以下では無線通信システムにおいてＵＥが隣接セルからの干渉を除去する方法及びそのための装置を提案する。
【課題を解決するための手段】
【０００８】
本発明の一態様である、無線通信システムにおいて端末により隣接セルからの干渉を除去する方法は、前記隣接セルからの干渉信号を検出するための複数のパラメータ組合せのうち一つを示す、一つ以上の干渉除去アシスト情報を受信するステップと、前記一つ以上の干渉除去アシスト情報に基づいて、前記隣接セルからの干渉信号を検出するステップと、サービングセルから受信した信号から前記干渉信号を除去するステップと、を有し、前記干渉信号は、前記隣接セルの下りリンクデータチャネル又は前記隣接セルの下りリンク制御チャネルであり、前記複数のパラメータ組合せは、上位層を介して設定されることを特徴とする。
【０００９】
また、本発明の他の態様である、無線通信システムにおける端末は、ネットワークと信号を送受信するための無線通信モジュールと、前記信号を処理するためのプロセッサとを備え、前記プロセッサは、前記隣接セルからの干渉信号を検出するための複数のパラメータ組合せのうち一つを示す一つ以上の干渉除去アシスト情報を受信し、前記一つ以上の干渉除去アシスト情報に基づいて前記隣接セルからの干渉信号を検出し、サービングセルから受信した信号から前記干渉信号を除去するように前記無線通信モジュールを制御し、前記干渉信号は、前記隣接セルの下りリンクデータチャネル又は前記隣接セルの下りリンク制御チャネルであり、前記複数のパラメータ組合せは、上位層を介して設定されることを特徴とする。
【００１０】
上記の実施例において、前記パラメータ組合せは、前記干渉信号の変調次数に関する情報、前記干渉信号を復調するための参照信号に関する情報、及びサブフレームで前記干渉信号が始まるシンボルインデックスに関する情報のうち少なくとも一つを含むことを特徴とする。
【００１１】
また、前記一つ以上の干渉除去アシスト情報は、前記隣接セルからの下りリンク制御チャネルを介して放送されることを特徴とし、前記隣接セルの下りリンクデータチャネル及び前記隣接セルの下りリンク制御チャネルは、サブフレームの同一領域を介して検出されることを特徴とする。
【００１２】
好適には、前記一つ以上の干渉除去アシスト情報は、それぞれ異なるサブバンドに対応することを特徴とする。
【発明の効果】
【００１３】
本発明の実施例によれば、無線通信システムにおいてＵＥはより効率よく隣接セルからの干渉を除去することができる。
【００１４】
本発明で得られる効果は、以上に言及した効果に制限されず、言及していない別の効果は、以下の記載から、本発明の属する技術の分野における通常の知識を有する者には明確に理解されるであろう。
【図面の簡単な説明】
【００１５】
【図１】無線通信システムの一例としてＥ−ＵＭＴＳネットワーク構造を概略的に示す図である。
【図２】３ＧＰＰ無線接続ネットワーク規格に基づくＵＥとＥ−ＵＴＲＡＮ間の無線インターフェースプロトコル（Ｒａｄｉｏ  Ｉｎｔｅｒｆａｃｅ  Ｐｒｏｔｏｃｏｌ）のコントロールプレーン（Ｃｏｎｔｒｏｌ  Ｐｌａｎｅ）及びユーザプレーン（Ｕｓｅｒ  Ｐｌａｎｅ）構造を示す図である。
【図３】３ＧＰＰシステムに用いられる物理チャネル及びこれらのチャネルを用いた一般的な信号送信方法を説明するための図である。
【図４】ＬＴＥシステムで用いられる無線フレームの構造を例示する図である。
【図５】ＬＴＥシステムで用いられる下りリンク無線フレームの構造を例示する図である。
【図６】ＬＴＥシステムで用いられる上りリンクサブフレームの構造を示す図である。
【図７】一般的な多重アンテナ（ＭＩＭＯ）通信システムを示す構成図である。
【図８】４個のアンテナを用いた下りリンク送信を支援するＬＴＥシステムにおける下りリンク参照信号の構造を示す図である。
【図９】４個のアンテナを用いた下りリンク送信を支援するＬＴＥシステムにおける下りリンク参照信号の構造を示す図である。
【図１０】現在３ＧＰＰ標準文書で定義している下りリンクＤＭ−ＲＳ割り当て例を示す図である。
【図１１】現在３ＧＰＰ標準文書で定義している下りリンクＣＳＩ−ＲＳ設定のうち、一般ＣＰの場合におけるＣＳＩ−ＲＳ設定＃０を例示する図である。
【図１２】本発明が適用される下りリンクシステムの一般的な干渉環境を示す図である。
【図１３】本発明の実施例に係るＡ−ＤＣＩのペイロードコンテンツを例示する図である。
【図１４】本発明の一実施例に係る通信装置のブロック構成図である。
【発明を実施するための形態】
【００１６】
以下に添付の図面を参照して説明された本発明の実施例から、本発明の構成、作用及び他の特徴が容易に理解されるであろう。以下に説明される実施例は、本発明の技術的特徴が３ＧＰＰシステムに適用された例である。
【００１７】
本明細書ではＬＴＥシステム及びＬＴＥ−Ａシステムを用いて本発明の実施例を説明するが、これは例示に過ぎず、本発明の実施例は、上述した定義に該当するいかなる通信システムにも適用可能である。また、本明細書は、ＦＤＤ方式を基準にして本発明の実施例について説明するが、これは例示に過ぎず、本発明の実施例は、Ｈ−ＦＤＤ方式又はＴＤＤ方式にも容易に変形されて適用されてもよい。
【００１８】
また、本明細書では、基地局をＲＲＨ（ｒｅｍｏｔｅ  ｒａｄｉｏ  ｈｅａｄ）、ｅＮＢ、ＴＰ（ｔｒａｎｓｍｉｓｓｉｏｎ  ｐｏｉｎｔ）、ＲＰ（ｒｅｃｅｐｔｉｏｎ  ｐｏｉｎｔ）、中継機（ｒｅｌａｙ）などを含む包括的な名称として使うことができる。
【００１９】
図２は、３ＧＰＰ無線接続網規格に基づくＵＥとＥ−ＵＴＲＡＮとの間の無線インターフェースプロトコル（Ｒａｄｉｏ  Ｉｎｔｅｒｆａｃｅ  Ｐｒｏｔｏｃｏｌ）のコントロールプレーン及びユーザプレーンの構造を示す図である。コントロールプレーンとは、ＵＥとネットワークとが呼を管理するために用いる制御メッセージが送信される通路のことを意味する。ユーザプレーンとは、アプリケーション層で生成されたデータ、例えば、音声データ又はインターネットパケットデータなどが送信される通路のことを意味する。
【００２０】
第１層である物理層は、物理チャネル（Ｐｈｙｓｉｃａｌ  Ｃｈａｎｎｅｌ）を用いて上位層に情報送信サービス（Ｉｎｆｏｒｍａｔｉｏｎ  Ｔｒａｎｓｆｅｒ  Ｓｅｒｖｉｃｅ）を提供する。物理層は、上位の媒体接続制御（Ｍｅｄｉｕｍ  Ａｃｃｅｓｓ  Ｃｏｎｔｒｏｌ）層とは伝送チャネル（Ｔｒａｎｓｐｏｒｔ  Ｃｈａｎｎｅｌ）を介して接続されている。該伝送チャネルを介して媒体接続制御層と物理層との間にデータが移動する。送信側の物理層と受信側の物理層との間には物理チャネルを介してデータが移動する。該物理チャネルは、時間及び周波数を無線リソースとして活用する。具体的に、物理チャネルは、下りリンクにおいてＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式で変調され、上りリンクにおいてＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式で変調される。
【００２１】
第２層の媒体接続制御（Ｍｅｄｉｕｍ  Ａｃｃｅｓｓ  Ｃｏｎｔｒｏｌ；ＭＡＣ）層は、論理チャネル（Ｌｏｇｉｃａｌ  Ｃｈａｎｎｅｌ）を介して、上位層である無線リンク制御（Ｒａｄｉｏ  Ｌｉｎｋ  Ｃｏｎｔｒｏｌ；ＲＬＣ）層にサービスを提供する。第２層のＲＬＣ層は、信頼できるデータ送信を支援する。ＲＬＣ層の機能は、ＭＡＣ内部の機能ブロックとしてもよい。第２層のＰＤＣＰ（Ｐａｃｋｅｔ  Ｄａｔａ  Ｃｏｎｖｅｒｇｅｎｃｅ  Ｐｒｏｔｏｃｏｌ）層は、帯域幅の狭い無線インターフェースでＩＰｖ４やＩＰｖ６のようなＩＰパケットを効率的に送信するために、余分の制御情報を減らすヘッダー圧縮（Ｈｅａｄｅｒ  Ｃｏｍｐｒｅｓｓｉｏｎ）機能を果たす。
【００２２】
第３層の最下部に位置する無線リソース制御（Ｒａｄｉｏ  Ｒｅｓｏｕｒｃｅ  Ｃｏｎｔｒｏｌ；ＲＲＣ）層は、コントロールプレーンにのみ定義される。ＲＲＣ層は、無線ベアラー（Ｒａｄｉｏ  Ｂｅａｒｅｒ）の設定（Ｃｏｎｆｉｇｕｒａｔｉｏｎ）、再設定（Ｒｅ−ｃｏｎｆｉｇｕｒａｔｉｏｎ）及び解除（Ｒｅｌｅａｓｅ）に関連して、論理チャネル、伝送チャネル及び物理チャネルの制御を担当する。無線ベアラー（ＲＢ）とは、ＵＥとネットワーク間のデータ伝達のために第２層により提供されるサービスのことを意味する。そのために、ＵＥのＲＲＣ層とネットワークのＲＲＣ層とはＲＲＣメッセージを互いに交換する。ＵＥのＲＲＣ層とネットワークのＲＲＣ層間にＲＲＣ接続（ＲＲＣ  Ｃｏｎｎｅｃｔｅｄ）がある場合に、ＵＥはＲＲＣ接続状態（Ｃｏｎｎｅｃｔｅｄ  Ｍｏｄｅ）にあり、そうでない場合は、ＲＲＣ休止状態（Ｉｄｌｅ  Ｍｏｄｅ）にあるようになる。ＲＲＣ層の上位にあるＮＡＳ（Ｎｏｎ−Ａｃｃｅｓｓ  Ｓｔｒａｔｕｍ）層は、セッション管理（Ｓｅｓｓｉｏｎ  Ｍａｎａｇｅｍｅｎｔ）と移動性管理（Ｍｏｂｉｌｉｔｙ  Ｍａｎａｇｅｍｅｎｔ）などの機能を果たす。
【００２３】
基地局（ｅＮＢ）を構成する一つのセルは、１．２５、２．５、５、１０、１５、２０ＭＨｚなどの帯域幅のいずれか一つに設定されて複数のＵＥに下り又は上り送信サービスを提供する。異なるセルは異なる帯域幅を提供するように設定されてもよい。
【００２４】
ネットワークからＵＥにデータを送信する下り伝送チャネルとしては、システム情報を送信するＢＣＨ（Ｂｒｏａｄｃａｓｔ  Ｃｈａｎｎｅｌ）、ページングメッセージを送信するＰＣＨ（Ｐａｇｉｎｇ  Ｃｈａｎｎｅｌ）、ユーザトラフィックや制御メッセージを送信する下りＳＣＨ（Ｓｈａｒｅｄ  Ｃｈａｎｎｅｌ）などがある。下りマルチキャスト又は放送サービスのトラフィック又は制御メッセージは、下りＳＣＨで送信されてもよく、別の下りＭＣＨ（Ｍｕｌｔｉｃａｓｔ  Ｃｈａｎｎｅｌ）で送信されてもよい。一方、ＵＥからネットワークにデータを送信する上り伝送チャネルとしては、初期制御メッセージを送信するＲＡＣＨ（Ｒａｎｄｏｍ  Ａｃｃｅｓｓ  Ｃｈａｎｎｅｌ）、ユーザトラフィックや制御メッセージを送信する上りＳＣＨ（Ｓｈａｒｅｄ  Ｃｈａｎｎｅｌ）がある。伝送チャネルの上位に存在し、伝送チャネルにマッピングされる論理チャネル（Ｌｏｇｉｃａｌ  Ｃｈａｎｎｅｌ）としては、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、ＭＴＣＨ（Ｍｕｌｔｉｃａｓｔ  Ｔｒａｆｆｉｃ  Ｃｈａｎｎｅｌ）などがある。
【００２５】
図３は、３ＧＰＰシステムに用いられる物理チャネル及びこれらのチャネルを用いた一般の信号送信方法を説明するための図である。
【００２６】
ＵＥは、電源が入ったり、新しくセルに進入したりした場合に、基地局と同期を取る等の初期セル探索（Ｉｎｉｔｉａｌ  ｃｅｌｌ  ｓｅａｒｃｈ）作業を行う（Ｓ３０１）。そのために、ＵＥは、基地局からプライマリ同期チャネル（Ｐｒｉｍａｒｙ  Ｓｙｎｃｈｒｏｎｉｚａｔｉｏｎ  Ｃｈａｎｎｅｌ；Ｐ−ＳＣＨ）及びセカンダリ同期チャネル（Ｓｅｃｏｎｄａｒｙ  Ｓｙｎｃｈｒｏｎｉｚａｔｉｏｎ  Ｃｈａｎｎｅｌ；Ｓ−ＳＣＨ）を受信して基地局と同期を取り、セルＩＤなどの情報を取得すればよい。その後、ＵＥは、基地局から物理放送チャネル（Ｐｈｙｓｉｃａｌ  Ｂｒｏａｄｃａｓｔ  Ｃｈａｎｎｅｌ）を受信し、セル内放送情報を取得できる。一方、ＵＥは、初期セル探索段階で、下りリンク参照信号（Ｄｏｗｎｌｉｎｋ  Ｒｅｆｅｒｅｎｃｅ  Ｓｉｇｎａｌ；ＤＬ ＲＳ）を受信し、下りリンクチャネル状態を確認できる。
【００２７】
初期セル探索を終えたＵＥは、物理下りリンク制御チャネル（Ｐｈｙｓｉｃａｌ  Ｄｏｗｎｌｉｎｋ  Ｃｏｎｔｒｏｌ  Ｃｈａｎｎｅｌ；ＰＤＣＣＨ）、及び該ＰＤＣＣＨに載せられた情報に基づいて物理下りリンク共有チャネル（Ｐｈｙｓｉｃａｌ  Ｄｏｗｎｌｉｎｋ  Ｃｏｎｔｒｏｌ  Ｃｈａｎｎｅｌ；ＰＤＳＣＨ）を受信することによって、より具体的なシステム情報を取得できる（Ｓ３０２）。
【００２８】
一方、基地局に最初に接続したり信号送信のための無線リソースがない場合には、ＵＥは、基地局にランダムアクセス手順（Ｒａｎｄｏｍ  Ａｃｃｅｓｓ  Ｐｒｏｃｅｄｕｒｅ；ＲＡＣＨ）を行ってよい（Ｓ３０３乃至Ｓ３０６）。そのために、ＵＥは、物理ランダムアクセスチャネル（Ｐｈｙｓｉｃａｌ  Ｒａｎｄｏｍ  Ａｃｃｅｓｓ  Ｃｈａｎｎｅｌ；ＰＲＡＣＨ）を介して特定シーケンスをプリアンブルとして送信し（Ｓ３０３及びＳ３０５）、ＰＤＣＣＨ及び対応するＰＤＳＣＨを介して、プリアンブルに対する応答メッセージを受信すればよい（Ｓ３０４及びＳ３０６）。競合ベースのＲＡＣＨについては、衝突解決手順（Ｃｏｎｔｅｎｔｉｏｎ  Ｒｅｓｏｌｕｔｉｏｎ  Ｐｒｏｃｅｄｕｒｅ）をさらに行ってもよい。
【００２９】
上述の手順を行ったＵＥは、その後、一般的な上りリンク／下りリンク信号送信手順として、ＰＤＣＣＨ／ＰＤＳＣＨ受信（Ｓ３０７）、及び物理上りリンク共有チャネル（Ｐｈｙｓｉｃａｌ  Ｕｐｌｉｎｋ  Ｓｈａｒｅｄ  Ｃｈａｎｎｅｌ；ＰＵＳＣＨ）／物理上りリンク制御チャネル（Ｐｈｙｓｉｃａｌ  Ｕｐｌｉｎｋ  Ｃｏｎｔｒｏｌ  Ｃｈａｎｎｅｌ；ＰＵＣＣＨ）送信（Ｓ３０８）を行えばよい。特に、ＵＥはＰＤＣＣＨを介して下りリンク制御情報（Ｄｏｗｎｌｉｎｋ  Ｃｏｎｔｒｏｌ  Ｉｎｆｏｒｍａｔｉｏｎ；ＤＣＩ）を受信する。ここで、ＤＣＩは、ＵＥに対するリソース割り当て情報のような制御情報を含んでおり、その使用目的によってフォーマットが異なっている。
【００３０】
一方、ＵＥが上りリンクを介して基地局に送信する又はＵＥが基地局から受信する制御情報としては、下りリンク／上りリンクＡＣＫ／ＮＡＣＫ信号、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｅｘ）、ＲＩ（Ｒａｎｋ  Ｉｎｄｉｃａｔｏｒ）などを含む。３ＧＰＰ  ＬＴＥシステムでは、ＵＥは、これらのＣＱＩ／ＰＭＩ／ＲＩなどの制御情報をＰＵＳＣＨ及び／又はＰＵＣＣＨを介して送信してもよい。
【００３１】
図４は、ＬＴＥシステムで用いられる無線フレームの構造を例示する図である。
【００３２】
図４を参照すると、無線フレーム（ｒａｄｉｏ  ｆｒａｍｅ）は１０ｍｓ（３２７２００×Ｔs）の長さを有し、１０個の均等なサイズのサブフレーム（ｓｕｂｆｒａｍｅ）で構成されている。それぞれのサブフレームは１ｍｓの長さを有し、２個のスロット（ｓｌｏｔ）で構成されている。それぞれのスロットは０．５ｍｓ（１５３６０×Ｔs）の長さを有する。ここで、Ｔsはサンプリング時間を表し、Ｔs＝１／（１５ｋＨｚ×２０４８）＝３．２５５２×１０-8（約３３ｎｓ）で表示される。スロットは時間領域において複数のＯＦＤＭシンボルを含み、周波数領域において複数のリソースブロック（Ｒｅｓｏｕｒｃｅ  Ｂｌｏｃｋ；ＲＢ）を含む。ＬＴＥシステムにおいて一つのリソースブロックは１２個の副搬送波×７（６）個のＯＦＤＭシンボルを含む。データの送信される単位時間であるＴＴＩ（Ｔｒａｎｓｍｉｓｓｉｏｎ  Ｔｉｍｅ  Ｉｎｔｅｒｖａｌ）は一つ以上のサブフレーム単位に定めることができる。上述した無線フレームの構造は例示に過ぎず、無線フレームに含まれるサブフレームの数、サブフレームに含まれるスロットの数、又はスロットに含まれるＯＦＤＭシンボルの数は様々に変更されてもよい。
【００３３】
図５は、下りリンク無線フレームにおいて一つのサブフレームの制御領域に含まれる制御チャネルを例示する図である。
【００３４】
図５を参照すると、サブフレームは１４個のＯＦＤＭシンボルで構成されている。サブフレーム設定によって先頭の１乃至３個のＯＦＤＭシンボルは制御領域として用いられ、残り１３〜１１個のＯＦＤＭシンボルはデータ領域として用いられる。同図で、Ｒ１乃至Ｒ４は、アンテナ０乃至３に対する基準信号（Ｒｅｆｅｒｅｎｃｅ  Ｓｉｇｎａｌ（ＲＳ）又はＰｉｌｏｔ  Ｓｉｇｎａｌ）を表す。ＲＳは、制御領域及びデータ領域を問わず、サブフレーム内に一定のパターンで固定される。制御チャネルは、制御領域においてＲＳの割り当てられていないリソースに割り当てられ、トラフィックチャネルもデータ領域においてＲＳの割り当てられていないリソースに割り当てられる。制御領域に割り当てられる制御チャネルには、ＰＣＦＩＣＨ（Ｐｈｙｓｉｃａｌ  Ｃｏｎｔｒｏｌ  Ｆｏｒｍａｔ  Ｉｎｄｉｃａｔｏｒ  ＣＨａｎｎｅｌ）、ＰＨＩＣＨ（Ｐｈｙｓｉｃａｌ  Ｈｙｂｒｉｄ−ＡＲＱ  Ｉｎｄｉｃａｔｏｒ  ＣＨａｎｎｅｌ）、ＰＤＣＣＨ（Ｐｈｙｓｉｃａｌ  Ｄｏｗｎｌｉｎｋ  Ｃｏｎｔｒｏｌ  ＣＨａｎｎｅｌ）などがある。
【００３５】
ＰＣＦＩＣＨは物理制御フォーマット指示子チャネルで、サブフレームごとにＰＤＣＣＨに用いられるＯＦＤＭシンボルの個数をＵＥに知らせる。ＰＣＦＩＣＨは、最初のＯＦＤＭシンボルに位置し、ＰＨＩＣＨ及びＰＤＣＣＨに優先して設定される。ＰＣＦＩＣＨは４個のＲＥＧ（Ｒｅｓｏｕｒｃｅ  Ｅｌｅｍｅｎｔ  Ｇｒｏｕｐ）で構成され、それぞれのＲＥＧはセルＩＤ（Ｃｅｌｌ  ＩＤｅｎｔｉｔｙ）に基づいて制御領域内に分散される。一つのＲＥＧは４個のＲＥ（Ｒｅｓｏｕｒｃｅ  Ｅｌｅｍｅｎｔ）で構成される。ＲＥは、１副搬送波×１ ＯＦＤＭシンボルと定義される最小物理リソースを表す。ＰＣＦＩＣＨ値は帯域幅によって１〜３又は２〜４の値を指示し、ＱＰＳＫ（Ｑｕａｄｒａｔｕｒｅ  Ｐｈａｓｅ  Ｓｈｉｆｔ  Ｋｅｙｉｎｇ）で変調される。
【００３６】
ＰＨＩＣＨは、物理ＨＡＲＱ（Ｈｙｂｒｉｄ−Ａｕｔｏｍａｔｉｃ  Ｒｅｐｅａｔ  ａｎｄ  ｒｅｑｕｅｓｔ）指示子チャネルで、上りリンク送信に対するＨＡＲＱ ＡＣＫ／ＮＡＣＫを運ぶために用いられる。すなわち、ＰＨＩＣＨは、ＵＬ ＨＡＲＱのためのＤＬ ＡＣＫ／ＮＡＣＫ情報が送信されるチャネルを表す。ＰＨＩＣＨは、１個のＲＥＧで構成され、セル特定（ｃｅｌｌ−ｓｐｅｃｉｆｉｃ）にスクランブル（ｓｃｒａｍｂｌｉｎｇ）される。ＡＣＫ／ＮＡＣＫは１ビットで指示され、ＢＰＳＫ（Ｂｉｎａｒｙ  ｐｈａｓｅ  ｓｈｉｆｔ  ｋｅｙｉｎｇ）で変調される。変調されたＡＣＫ／ＮＡＣＫは拡散因子（Ｓｐｒｅａｄｉｎｇ  Ｆａｃｔｏｒ；ＳＦ）＝２又は４で拡散される。同一のリソースにマップされる複数のＰＨＩＣＨは、ＰＨＩＣＨグループを構成する。ＰＨＩＣＨグループに多重化されるＰＨＩＣＨの個数は、拡散コードの個数によって決定される。ＰＨＩＣＨ（グループ）は周波数領域及び／又は時間領域においてダイバーシチ利得を得るために３回反復（ｒｅｐｅｔｉｔｉｏｎ）される。
【００３７】
ＰＤＣＣＨは物理下りリンク制御チャネルで、サブフレームにおける先頭のｎ個のＯＦＤＭシンボルに割り当てられる。ここで、ｎは１以上の整数で、ＰＣＦＩＣＨによって指示される。ＰＤＣＣＨは一つ以上のＣＣＥで構成される。ＰＤＣＣＨは、伝送チャネルであるＰＣＨ（Ｐａｇｉｎｇ  ｃｈａｎｎｅｌ）及びＤＬ−ＳＣＨ（Ｄｏｗｎｌｉｎｋ−ｓｈａｒｅｄ  ｃｈａｎｎｅｌ）のリソース割り当てに関する情報、上りリンクスケジューリンググラント（Ｕｐｌｉｎｋ  Ｓｃｈｅｄｕｌｉｎｇ  Ｇｒａｎｔ）、ＨＡＲＱ情報などを各ＵＥ又はＵＥグループに知らせる。ＰＣＨ（Ｐａｇｉｎｇ  ｃｈａｎｎｅｌ）及びＤＬ−ＳＣＨ（Ｄｏｗｎｌｉｎｋ−ｓｈａｒｅｄ  ｃｈａｎｎｅｌ）はＰＤＳＣＨで送信される。したがって、基地局とＵＥは一般に、特定の制御情報又は特定のサービスデータ以外は、ＰＤＳＣＨを介してデータをそれぞれ送信及び受信する。
【００３８】
ＰＤＳＣＨのデータがいずれのＵＥ（一つ又は複数のＵＥ）に送信されるものか、これらＵＥがどのようにＰＤＳＣＨデータを受信してデコードしなければならないかに関する情報などは、ＰＤＣＣＨに含まれて送信される。例えば、特定ＰＤＣＣＨが「Ａ」というＲＮＴＩ（Ｒａｄｉｏ  Ｎｅｔｗｏｒｋ  Ｔｅｍｐｏｒａｒｙ  Ｉｄｅｎｔｉｔｙ）でＣＲＣマスクされており、「Ｂ」という無線リソース（例、周波数位置）及び「Ｃ」というＤＣＩフォーマット、すなわち、伝送形式情報（例、伝送ブロックサイズ、変調方式、コーディング情報など）を用いて送信されるデータに関する情報が、特定サブフレームで送信されると仮定する。この場合、セル内のＵＥは、自身が持っているＲＮＴＩ情報を用いて検索領域でＰＤＣＣＨをモニタし、すなわち、ブラインドデコードし、「Ａ」のＲＮＴＩを有する一つ以上のＵＥがあると、これらのＵＥはＰＤＣＣＨを受信し、受信したＰＤＣＣＨの情報に基づいて「Ｂ」と「Ｃ」が示すＰＤＳＣＨを受信する。
【００３９】
図６は、ＬＴＥシステムで用いられる上りリンクサブフレームの構造を示す図である。
【００４０】
図６を参照すると、上りリンクサブフレームは、制御情報を運ぶＰＵＣＣＨ（Ｐｈｙｓｉｃａｌ  Ｕｐｌｉｎｋ  Ｃｏｎｔｒｏｌ  ＣＨａｎｎｅｌ）が割り当てられる領域と、ユーザデータを運ぶＰＵＳＣＨ（Ｐｈｙｓｉｃａｌ  Ｕｐｌｉｎｋ  Ｓｈａｒｅｄ  ＣＨａｎｎｅｌ）が割り当てられる領域とに区別される。サブフレームにおいて中間部分がＰＵＳＣＨに割り当てられ、周波数領域においてデータ領域の両側部分がＰＵＣＣＨに割り当てられる。ＰＵＣＣＨ上で送信される制御情報は、ＨＡＲＱに用いられるＡＣＫ／ＮＡＣＫ、下りリンクチャネル状態を示すＣＱＩ（Ｃｈａｎｎｅｌ  Ｑｕａｌｉｔｙ  Ｉｎｄｉｃａｔｏｒ）、ＭＩＭＯのためのＲＩ（Ｒａｎｋ  Ｉｎｄｉｃａｔｏｒ）、上りリンクリソース割り当て要請であるＳＲ（Ｓｃｈｅｄｕｌｉｎｇ  Ｒｅｑｕｅｓｔ）などがある。一つのＵＥに対するＰＵＣＣＨは、サブフレーム内の各スロットで互いに異なる周波数を占める一つのリソースブロックを使用する。すなわち、ＰＵＣＣＨに割り当てられる２個のリソースブロックはスロット境界で周波数ホッピング（ｆｒｅｑｕｅｎｃｙ  ｈｏｐｐｉｎｇ）する。特に、図６は、ｍ＝０のＰＵＣＣＨ、ｍ＝１のＰＵＣＣＨ、ｍ＝２のＰＵＣＣＨ、ｍ＝３のＰＵＣＣＨがサブフレームに割り当てられるとしている。
【００４１】
以下、ＭＩＭＯシステムについて説明する。ＭＩＭＯ（Ｍｕｌｔｉｐｌｅ−Ｉｎｐｕｔ  Ｍｕｌｔｉｐｌｅ−Ｏｕｔｐｕｔ）は、複数個の送信アンテナと複数個の受信アンテナを使用する方法で、この方法によりデータの送受信効率を向上させることができる。すなわち、無線通信システムの送信端あるいは受信端で複数個のアンテナを使用することによって容量を増大させ、性能を向上させることができる。以下、本文献ではＭＩＭＯを「多重アンテナ」と呼ぶこともできる。
【００４２】
多重アンテナ技術では、一つの全体メッセージを受信するに単一のアンテナ経路に依存せず、複数のアンテナに受信されたデータ断片（ｆｒａｇｍｅｎｔ）をまとめて併合することによってデータを完成する。多重アンテナ技術を用いると、特定のサイズのセル領域内でデータ伝送速度を向上させたり、又は特定のデータ伝送速度を保障しながらシステムカバレッジ（ｃｏｖｅｒａｇｅ）を増加させることができる。また、この技術は、移動通信ＵＥと中継機などに幅広く使用可能である。多重アンテナ技術によれば、単一のアンテナを使用した従来技術による移動通信における伝送量の限界を克服することが可能になる。
【００４３】
一般的な多重アンテナ（ＭＩＭＯ）通信システムの構成図が、図７に示されている。
【００４４】
送信端では送信アンテナがＮT個設けられており、受信端では受信アンテナがＮR個が設けられている。このように送信端及び受信端の両方とも複数個のアンテナを使用する場合は、送信端又は受信端のいずれか一方のみ複数個のアンテナを使用する場合に比べて、理論的なチャネル伝送容量がより増加する。チャネル伝送容量の増加はアンテナの数に比例する。これにより、伝送レートが向上し、周波数効率が向上する。１個のアンテナを使用する場合の最大伝送レートをＲoとすれば、多重アンテナを使用する場合の伝送レートは、理論的に、下記の数式１のように、最大伝送レートＲoにレート増加率Ｒiを掛けた分だけ増加可能となる。ここで、Ｒiは、ＮTとＮRのうちの小さい値を表す。
【００４５】
【数１】
2016533680.tif 000003
【００４６】
例えば、４個の送信アンテナと４個の受信アンテナを用いるＭＩＭＯ通信システムでは、単一アンテナシステムに比べて理論上、４倍の伝送レートを取得できる。このような多重アンテナシステムの理論的容量増加が９０年代半ばに証明されて以来、これを実質的なデータ伝送率の向上へと導くための種々の技術が現在まで活発に研究されている。それらのいくつかの技術は既に第３世代移動通信と次世代無線ＬＡＮなどの様々な無線通信の標準に反映されている。
【００４７】
現在までの多重アンテナ関連研究動向をみると、様々なチャネル環境及び多重接続環境における多重アンテナ通信容量計算などと関連した情報理論側面の研究、多重アンテナシステムの無線チャネル測定及びモデル導出の研究、及び伝送信頼度の向上及び伝送率の向上のための時空間信号処理技術の研究などを含め、様々な観点で活発に研究が進められている。
【００４８】
多重アンテナシステムにおける通信方法をより具体的な方法で説明するべく、それを数学的にモデリングすると、次のように示すことができる。図７に示すように、ＮT個の送信アンテナとＮR個の受信アンテナが存在するとする。まず、送信信号について説明すると、ＮT個の送信アンテナがある場合に、送信可能な最大情報はＮT個であるから、送信情報を下記の数式２のようなベクトルで表現できる。
【００４９】
【数２】
2016533680.tif 000004
【００５０】
【数３】
2016533680.tif 000005
【００５１】
【数４】
2016533680.tif 000006
【００５２】
【数５】
2016533680.tif 000007
【００５３】
【数６】
2016533680.tif 000008
【００５４】
【数７】
2016533680.tif 000009
【００５５】
【数８】
2016533680.tif 000010
【００５６】
一般に、チャネル行列のランクの物理的な意味は、与えられたチャネルで互いに異なった情報を送信できる最大数を意味する。したがって、チャネル行列のランク（ｒａｎｋ）は、互いに独立した（ｉｎｄｅｐｅｎｄｅｎｔ）行（ｒｏｗ）又は列（ｃｏｌｕｍｎ）の個数のうち、最小個数と定義され、よって、行列のランクは、行（ｒｏｗ）又は列（ｃｏｌｕｍｎ）の個数より大きくなることはない。数式的に例を挙げると、チャネル行列Ｈのランク（ｒａｎｋ(Ｈ)）は、数式６のように制限される。
【００５７】
【数９】
2016533680.tif 000011
【００５８】
また、多重アンテナ技術を用いて送る互いに異なった情報のそれぞれを「送信ストリーム（Ｓｔｒｅａｍ）」、又は簡単に「ストリーム」と定義するものとする。このような「ストリーム」は、「レイヤー（Ｌａｙｅｒ）」と呼ぶこともできる。そのため、送信ストリームの個数は当然ながら、互いに異なった情報を送信できる最大数であるチャネルのランクより大きくなることがない。したがって、チャネル行列Ｈは、下記の数式７のように表すことができる。
【００５９】
【数１０】
2016533680.tif 000012
【００６０】
ここで、「＃ ｏｆ ｓｔｒｅａｍｓ」は、ストリームの数を表す。一方、ここで、１個のストリームは１個以上のアンテナから送信可能であるということに留意されたい。
【００６１】
１個以上のストリームを複数のアンテナに対応させる様々な方法が存在する。この方法を、多重アンテナ技術の種類によって次のように説明できる。１個のストリームが複数のアンテナから送信される場合は空間ダイバーシチ方式といえ、複数のストリームが複数のアンテナから送信される場合は空間マルチプレクシング方式といえる。勿論、これらの中間方式である、空間ダイバーシチと空間マルチプレクシングとの混合（Ｈｙｂｒｉｄ）した形態も可能である。
【００６２】
一方、次世代移動通信システムの標準であるＬＴＥ−Ａシステムでは、データ伝送率の向上のために、既存の標準では支援していなかったＣｏＭＰ（Ｃｏｏｒｄｉｎａｔｅｄ  Ｍｕｌｔｉ  Ｐｏｉｎｔ）送信方式を支援することが予想される。ここで、ＣｏＭＰ送信方式とは、陰影地域にあるＵＥ及び基地局（セル又はセクター）間の通信性能を向上させるために２個以上の基地局或いはセルが互いに協調してＵＥと通信するための送信方式のことをいう。
【００６３】
ＣｏＭＰ送信方式は、データ共有を用いた協調的ＭＩＭＯ形態のジョイントプロセシング（ＣｏＭＰ−Ｊｏｉｎｔ  Ｐｒｏｃｅｓｓｉｎｇ、ＣｏＭＰ−ＪＰ）及び協調スケジューリング／ビームフォーミング（ＣｏＭＰ−Ｃｏｏｒｄｉｎａｔｅｄ  Ｓｃｈｅｄｕｌｉｎｇ／ｂｅａｍｆｏｒｍｉｎｇ、ＣｏＭＰ−ＣＳ／ＣＢ）方式に区別することができる。
【００６４】
下りリンクの場合、ジョイントプロセシング（ＣｏＭＰ−ＪＰ）方式において、ＵＥは、ＣｏＭＰ送信方式を行う各基地局からデータを瞬間的に同時に受信することができ、各基地局から受信した信号を結合して受信性能を向上させることができる（Ｊｏｉｎｔ  Ｔｒａｎｓｍｉｓｓｉｏｎ；ＪＴ）。また、ＣｏＭＰ送信方式を行う基地局のいずれか一つが特定時点にＵＥにデータを送信する方法も考慮することができる（ＤＰＳ；Ｄｙｎａｍｉｃ  Ｐｏｉｎｔ  Ｓｅｌｅｃｔｉｏｎ）。これと違い、協調スケジューリング／ビームフォーミング方式（ＣｏＭＰ−ＣＳ／ＣＢ）では、ＵＥはビームフォーミングを用いてデータを瞬間的に一つの基地局、すなわち、サービング基地局から受信することができる。
【００６５】
上りリンクの場合、ジョイントプロセシング（ＣｏＭＰ−ＪＰ）方式において、各基地局はＵＥからＰＵＳＣＨ信号を同時に受信することができる（Ｊｏｉｎｔ  Ｒｅｃｅｐｔｉｏｎ；ＪＲ）。これと違い、協調スケジューリング／ビームフォーミング方式（ＣｏＭＰ−ＣＳ／ＣＢ）では一つの基地局のみがＰＵＳＣＨを受信するが、このとき、協調スケジューリング／ビームフォーミング方式を用いるという決定は、協調セル（或いは、基地局）によって決定される。
【００６６】
以下、下りリンクデータチャネルの送信モードに関して説明する。現在、３ＧＰＰ ＬＴＥ標準文書、具体的に、３ＧＰＰ ＴＳ ３６．２１３文書では、下記の表１のように下りリンクデータチャネル送信モードに関して定義している。また、下記の送信モードは、上位層シグナリング、すなわち、ＲＲＣシグナリングによってＵＥに設定される。
【００６７】
【表１】
2016533680.tif 000013
【００６８】
表１を参照すると、現在、３ＧＰＰ ＬＴＥ標準文書では、送信モードとこれに対応するＤＣＩフォーマット、すなわち、送信モードベースのＤＣＩフォーマットを示している。また、それぞれの送信モードにかかわらずに適用可能なモード、すなわち、フォールバック（Ｆａｌｌ−ｂａｃｋ）モードのためのＤＣＩフォーマット１Ａが定義されている。送信モードに関する動作例として、表１で、ＵＥは、ＰＤＣＣＨをブラインドデコーディングした結果、ＤＣＩフォーマット１Ｂが検出されると、単一レイヤを用いた閉ループ空間多重化技法でＰＤＳＣＨが送信されたと仮定してＰＤＳＣＨをデコーティングする。
【００６９】
また、上記の表１で、送信モード１０は、上述したＣｏＭＰ送信方式の下りリンクデータチャネル送信モードを意味する。例えば、ＵＥがＰＤＣＣＨをブラインドデコーディングした結果、ＤＣＩフォーマット２Ｄが検出されると、アンテナポート７乃至１４、すなわち、ＤＭ−ＲＳに基づいて多重レイヤ送信技法でＰＤＳＣＨが送信されるという仮定の下にＰＤＳＣＨをデコーティングする。又は、ＤＭ−ＲＳアンテナポート７又は８に基づいて単一アンテナ送信技法でＰＤＳＣＨが送信されるという仮定の下にＰＤＳＣＨをデコーティングする。
【００７０】
一方、ＰＤＣＣＨをブラインドデコーディングした結果、ＤＣＩフォーマット１Ａが検出されると、当該サブフレームがＭＢＳＦＮサブフレームであるか否かによって送信モードが異なる。例えば、当該サブフレームが非−ＭＢＳＦＮサブフレームであれば、ＰＤＳＣＨはアンテナポート０のＣＲＳに基づく単一アンテナ送信又はＣＲＳベース送信ダイバーシチ技法で送信されたという仮定の下にデコーティングする。また、当該サブフレームがＭＢＳＦＮサブフレームであれば、ＰＤＳＣＨはアンテナポート７のＤＭ−ＲＳに基づく単一アンテナ送信がなされたという仮定の下にデコーティングすることができる。
【００７１】
以下では、参照信号についてより詳しく説明する。
【００７２】
一般に、チャネル測定のためにデータと共に送信側と受信側の両方で既に知っている参照信号が送信側から受信側に送信される。このような参照信号は、チャネル測定に加え、変調技法を知らせて復調過程が行われるようにする役割を果たす。参照信号は、基地局と特定ＵＥのための専用参照信号（ｄｅｄｉｃａｔｅｄ  ＲＳ；ＤＲＳ）、すなわち、ＵＥ特定参照信号と、セル内の全ＵＥのためのセル特定参照信号である共通参照信号（ｃｏｍｍｏｎ  ＲＳ又はＣｅｌｌ  ｓｐｅｃｉｆｉｃ  ＲＳ；ＣＲＳ）とに区別される。また、セル特定参照信号は、ＵＥでＣＱＩ／ＰＭＩ／ＲＩを測定して基地局に報告するための参照信号を含み、これをＣＳＩ−ＲＳ（Ｃｈａｎｎｅｌ  Ｓｔａｔｅ  Ｉｎｆｏｒｍａｔｉｏｎ−ＲＳ）と称する。
【００７３】
図８及び図９は、４個のアンテナを用いた下りリンク送信を支援するＬＴＥシステムにおける参照信号の構造を示す図である。特に、図８は一般（ｎｏｒｍａｌ）ＣＰ（Ｃｙｃｌｉｃ  Ｐｒｅｆｉｘ）の場合を示し、図９は拡張（ｅｘｔｅｎｄｅｄ）ＣＰの場合を示す。
【００７４】
図８及び図９を参照すると、格子に記載された０乃至３は、アンテナポート０乃至３のそれぞれに対応してチャネル測定とデータ復調のために送信されるセル特定参照信号であるＣＲＳ（Ｃｏｍｍｏｎ  Ｒｅｆｅｒｅｎｃｅ  Ｓｉｇｎａｌ）を意味し、セル特定参照信号のＣＲＳは、データ情報領域の他、制御情報領域全般にわたってもＵＥに送信されている。
【００７５】
また、格子に記載された「Ｄ」は、ＵＥ特定ＲＳである下りリンクＤＭ−ＲＳ（Ｄｅｍｏｄｕｌａｔｉｏｎ−ＲＳ）を意味し、ＤＭ−ＲＳは、データ領域、すなわち、ＰＤＳＣＨで単一アンテナポート送信を支援する。ＵＥ特定ＲＳであるＤＭ−ＲＳ存在の有無は上位層でＵＥにシグナリングされる。図８及び図９は、アンテナポート５に対応するＤＭ−ＲＳを例示しており、３ＧＰＰ標準文書３６．２１１ではアンテナポート７乃至１４、すなわち、計８個のアンテナポートに対するＤＭ−ＲＳも定義している。
【００７６】
図１０は、現在３ＧＰＰ標準文書で定義している下りリンクＤＭ−ＲＳ割り当て例を示す図である。
【００７７】
図１０を参照すると、ＤＭ−ＲＳグループ１にはアンテナポート｛７、８、１１、１３｝に該当するＤＭ−ＲＳがアンテナポート別シーケンスを用いてマップされ、ＤＭ−ＲＳグループ２にはアンテナポート｛９、１０、１２、１４｝に該当するＤＭ−ＲＳが同様に、アンテナポート別シーケンスを用いてマップされる。
【００７８】
一方、上述したＣＳＩ−ＲＳは、ＣＲＳとは別にＰＤＳＣＨに対するチャネル測定を目的に提案された。ＣＳＩ−ＲＳは、多重セル環境でセル間干渉（ｉｎｔｅｒ−ｃｅｌｌ  ｉｎｔｅｒｆｅｒｅｎｃｅ；ＩＣＩ）を減らすために、最大３２通りの異なったリソース設定（ｃｏｎｆｉｇｕｒａｔｉｏｎ）が定義されてもよい。
【００７９】
ＣＳＩ−ＲＳ（リソース）設定は、アンテナポートの個数によってそれぞれ異なり、隣接セル間には、できるだけ異なった（リソース）設定と定義されたＣＳＩ−ＲＳが送信されるように構成される。ＣＳＩ−ＲＳは、ＣＲＳとは違い、最大８個のアンテナポートまで支援し、３ＧＰＰ標準文書では、アンテナポート１５乃至２２までの計８個のアンテナポートをＣＳＩ−ＲＳのためのアンテナポートとして割り当てる。下記の表２及び表３は、３ＧＰＰ標準文書で定義しているＣＳＩ−ＲＳ設定を示すものであり、特に、表２は、一般ＣＰ（Ｎｏｒｍａｌ  ＣＰ）の場合を、表３は、拡張ＣＰ（Ｅｘｔｅｎｄｅｄ  ＣＰ）の場合を示している。
【００８０】
【表２】
2016533680.tif 000014
【００８１】
【表３】
2016533680.tif 000015
【００８２】
表２及び表３で、（ｋ′，ｌ′）は、ＲＥインデックスを表し、ｋ′は、副搬送波インデックスを、ｌ′は、ＯＦＤＭシンボルインデックスを表す。図１１は、現在３ＧＰＰ標準文書で定義されたＣＳＩ−ＲＳ設定のうち、一般ＣＰの場合におけるＣＳＩ−ＲＳ設定＃０を例示する。
【００８３】
また、ＣＳＩ−ＲＳサブフレーム設定を定義することができ、これは、サブフレーム単位で表現される周期（ＴＣＳＩ−ＲＳ）とサブフレームオフセット（ΔＣＳＩ−ＲＳ）で構成される。下記の表４は、３ＧＰＰ標準文書で定義しているＣＳＩ−ＲＳサブフレーム設定を示すものである。
【００８４】
【表４】
2016533680.tif 000016
【００８５】
一方、現在、ＺＰ（ｚｅｒｏ−ｐｏｗｅｒ）ＣＳＩ−ＲＳに関する情報はＲＲＣ層信号によって設定される。特に、ＺＰ ＣＳＩ−ＲＳリソース設定は、ｚｅｒｏＴｘＰｏｗｅｒＳｕｂｆｒａｍｅＣｏｎｆｉｇと１６ビットサイズのビットマップであるｚｅｒｏＴｘＰｏｗｅｒＲｅｓｏｕｒｃｅＣｏｎｆｉｇＬｉｓｔで構成される。このうち、ｚｅｒｏＴｘＰｏｗｅｒＳｕｂｆｒａｍｅＣｏｎｆｉｇは、表４に該当する値によって当該ＺＰ ＣＳＩ−ＲＳが送信される周期及びサブフレームオフセットを知らせる。また、ｚｅｒｏＴｘＰｏｗｅｒＲｅｓｏｕｒｃｅＣｏｎｆｉｇＬｉｓｔは、ＺＰ ＣＳＩ−ＲＳ設定を知らせる情報であり、上記ビットマップのそれぞれの要素は、上記の表２又は表３でＣＳＩ−ＲＳのためのアンテナポートが４個である列（Ｃｏｌｕｍｎ）に含まれた設定を示す。このようなＺＰ ＣＳＩ−ＲＳ以外の一般的なＣＳＩ−ＲＳは、ＮＺＰ（Ｎｏｎ  ｚｅｒｏ−ｐｏｗｅｒ）ＣＳＩ−ＲＳと呼ぶ。
【００８６】
一方、上述したＣｏＭＰ技法の適用時に、ＵＥに複数のＣＳＩ−ＲＳ設定がＲＲＣ層信号によって設定されてもよい。それぞれのＣＳＩ−ＲＳ設定は、下記の表５のように定義される。表５を参照すると、各ＣＳＩ−ＲＳ設定別にＱＣＬ（Ｑｕａｓｉ  Ｃｏ−Ｌｏｃａｔｉｏｎ）仮定が可能なＣＲＳに関する情報が含まれていることがわかる。
【００８７】
【表５】
2016533680.tif 000017
【００８８】
一方、近年、３ＧＰＰ  ＬＴＥ−Ａ標準では、ＣｏＭＰ方式のＰＤＳＣＨ送信である、送信モード１０のために、ＤＣＩフォーマット２ＤにＰＱＩ（ＰＤＳＣＨ  ＲＥ  Ｍａｐｐｉｎｇ  ａｎｄ  Ｑｕａｓｉ−Ｃｏ−Ｌｏｃａｔｉｏｎ  Ｉｎｄｉｃａｔｏｒ）フィールドを定義した。具体的に、このＰＱＩフィールドは、２ビットサイズで定義されて計４個のステートを下記の表６のように示し、それぞれのステートが示す情報は、ＣｏＭＰ方式のＰＤＳＣＨを受信するためのパラメータセットであり、具体的な値は上位層であらかじめシグナルされる。すなわち、下記の表６のためにＲＲＣ層信号で半静的に計４個のパラメータセットをシグナルすることができ、ＤＣＩフォーマット２ＤのＰＱＩフィールドは、上記計４個のパラメータセットのうち一つを動的に示す。
【００８９】
【表６】
2016533680.tif 000018
【００９０】
上記のパラメータセットには、ＣＲＳアンテナポートの個数（ｃｒｓ−ＰｏｒｔｓＣｏｕｎｔ）、ＣＲＳの周波数遷移値（ｃｒｓ−ＦｒｅｑＳｈｉｆｔ）、ＭＢＳＦＮサブフレーム設定（ｍｂｓｆｎ−ＳｕｂｆｒａｍｅＣｏｎｆｉｇＬｉｓｔ）、ＺＰ  ＣＳＩ−ＲＳ設定（ｃｓｉ−ＲＳ−ＣｏｎｆｉｇＺＰＩｄ）、ＰＤＳＣＨ開始シンボル（ｐｄｓｃｈ−Ｓｔａｒｔ）、ＮＺＰ（Ｎｏｎ−ＺＰ）ＣＳＩ−ＲＳのＱＣＬ（Ｑｕａｓｉ  Ｃｏ−Ｌｏｃａｔｉｏｎ）情報（ｑｃｌ−ＣＳＩ−ＲＳ−ＣｏｎｆｉｇＮＺＰＩｄ）のうち一つ以上の情報が含まれる。
【００９１】
以下、ＱＣＬ（Ｑｕａｓｉ  Ｃｏ−Ｌｏｃａｔｉｏｎ）に関してより具体的に説明する。
【００９２】
アンテナポート間にＱＣＬされているということは、ＵＥが一つのアンテナポートから受信する信号（或いは、当該アンテナポートに対応する無線チャネル）の広範囲特性（ｌａｒｇｅ−ｓｃａｌｅ  ｐｒｏｐｅｒｔｉｅｓ）が、他のアンテナポートから受信する信号（或いは、当該アンテナポートに対応する無線チャネル）の広範囲特性と全て又は一部が同一だと仮定し得るということを意味する。ここで、広範囲特性は、周波数オフセットに関連したドップラー拡散（Ｄｏｐｐｌｅｒ  ｓｐｒｅａｄ）、ドップラーシフト（Ｄｏｐｐｌｅｒ  ｓｈｉｆｔ）、タイミングオフセットに関連した平均遅延（ａｖｅｒａｇｅ  ｄｅｌａｙ）、遅延拡散（ｄｅｌａｙ  ｓｐｒｅａｄ）などを含み、さらに平均利得（ａｖｅｒａｇｅ  ｇａｉｎ）も含むことができる。
【００９３】
上の定義によれば、ＵＥはＱＣＬされていないアンテナポート、すなわち、ＮＱＣＬ（Ｎｏｎ  Ｑｕａｓｉ  ｃｏ−Ｌｏｃａｔｅｄ）されたアンテナポート間には広範囲特性が同一であると仮定することができない。この場合、ＵＥはアンテナポート別に周波数オフセット及びタイミングオフセットなどを取得するためのトラッキング（ｔｒａｃｋｉｎｇ）手順を独立して行わなければならない。
【００９４】
一方、ＱＣＬされているアンテナポート間についてはＵＥが次のような動作を行うことができるという利点がある。
【００９５】
１）ＵＥが特定アンテナポートに対応する無線チャネルに対する電力−遅延プロファイル（ｐｏｗｅｒ−ｄｅｌａｙ  ｐｒｏｆｉｌｅ）、遅延拡散、ドップラースペクトル（Ｄｏｐｐｌｅｒ  ｓｐｅｃｔｒｕｍ）及びドップラー拡散推定の結果を、他のアンテナポートに対応する無線チャネルに対するチャネル推定時に用いられるウィナーフィルター（Ｗｉｅｎｅｒ  ｆｉｌｔｅｒ）パラメータなどに同一に適用することができる。
【００９６】
２）また、ＵＥは、特定アンテナポートに対する時間同期及び周波数同期を取った後、同一の同期を他のアンテナポートに対しても適用することができる。
【００９７】
３）最後に、平均利得に関しても、ＵＥは、ＱＣＬされているアンテナポートのそれぞれに対するＲＳＲＰ（Ｒｅｆｅｒｅｎｃｅ  Ｓｉｇｎａｌ  Ｒｅｃｅｉｖｅｄ  Ｐｏｗｅｒ）測定値を平均値として計算することができる。
【００９８】
例えば、ＵＥがＰＤＣＣＨを介してＤＭ−ＲＳベース下りリンクデータチャネルスケジューリング情報、例えば、ＤＣＩフォーマット２Ｄを受信すると、ＵＥは、当該スケジューリング情報で示すＤＭ−ＲＳシーケンスを用いてＰＤＳＣＨに対するチャネル推定を行った後、データ復調を行う場合であると仮定する。
【００９９】
このような場合、ＵＥが下りリンクデータチャネル復調をするためのＤＭ−ＲＳアンテナポートがサービングセルのＣＲＳアンテナポートとＱＣＬされていると、ＵＥは、当該ＤＭ−ＲＳアンテナポートを用いたチャネル推定時に、自身のＣＲＳアンテナポートから推定した無線チャネルの広範囲特性（ｌａｒｇｅ−ｓｃａｌｅ  ｐｒｏｐｅｒｔｉｅｓ）をそのまま適用し、ＤＭ−ＲＳベース下りリンクデータチャネル受信性能を向上させることができる。
【０１００】
同様に、ＵＥが下りリンクデータチャネル復調をするためのＤＭ−ＲＳアンテナポートがサービングセルのＣＳＩ−ＲＳアンテナポートとＱＣＬされていると、ＵＥは、当該ＤＭ−ＲＳアンテナポートを用いたチャネル推定時に、サービングセルのＣＳＩ−ＲＳアンテナポートから推定した無線チャネルの広範囲特性をそのまま適用し、ＤＭ−ＲＳベース下りリンクデータチャネル受信性能を向上させることができる。
【０１０１】
一方、ＬＴＥシステムでは、ＣｏＭＰモードである送信モード１０で下りリンク信号を送信する際、基地局が上位層信号を用いてＱＣＬタイプＡ及びＱＣＬタイプＢのうちの一つをＵＥに設定するように定義している。
【０１０２】
ここで、ＱＣＬタイプＡは、ＣＲＳ、ＣＳＩ−ＲＳ及びＤＭ−ＲＳのアンテナポートが、平均利得以外の広範囲特性がＱＣＬされていると仮定するものであり、同一のノード（ｐｏｉｎｔ）で物理チャネル及び信号が送信されているということを意味する。
【０１０３】
一方、ＱＣＬタイプＢは、ＤＭ−ＲＳ及び特定指示されたＣＳＩ−ＲＳのアンテナボートが、平均利得を除く残りの広範囲特性がＱＣＬされていると仮定するものである。特に、ＱＣＬタイプＢは、ＤＰＳ、ＪＴなどのＣｏＭＰ送信が可能なように、ＵＥ当たり最大４個までのＱＣＬモードを上位層メッセージを用いて設定し、それらのうちどのＱＣＬモードで下りリンク信号を受信しなければならないかを動的にＤＣＩ（ｄｏｗｎｌｉｎｋ  ｃｏｎｔｒｏｌ  ｉｎｆｏｒｍａｔｉｏｎ）を用いて設定するように定義されている。このような情報は、上記ＰＱＩフィールドのパラメータセットのうちｑｃｌ−ＣＳＩ−ＲＳ−ＣｏｎｆｉｇＮＺＰＩｄに定義される。
【０１０４】
ＱＣＬタイプＢが設定された場合のＤＰＳ送信に関して、より具体的に説明する。
【０１０５】
まず、Ｎ1個のアンテナポートで構成されたノード＃１は、ＣＳＩ−ＲＳリソース（ｒｅｓｏｕｒｃｅ）＃１を送信し、Ｎ2個のアンテナポートで構成されたノード＃２は、ＣＳＩ−ＲＳリソース（ｒｅｓｏｕｒｃｅ）＃２を送信すると仮定する。この場合、ＣＳＩ−ＲＳリソース＃１を上記ＰＱＩのパラメータセット＃１に含め、ＣＳＩ−ＲＳリソース＃２を前記ＰＱＩのパラメータセット＃２に含める。さらに、基地局はノード＃１及びノード＃２の共通カバレッジ内に存在するＵＥに、上位層でパラメータセット＃１及びパラメータセット＃２をシグナルする。
【０１０６】
その後、基地局が当該ＵＥにノード＃１を介してデータ（すなわち、ＰＤＳＣＨ）送信時にＤＣＩを用いてパラメータセット＃１を設定し、ノード＃２を介してデータ送信時にパラメータセット＃２を設定する方式でＤＰＳを行うことができる。ＵＥにとっては、ＤＣＩによって上記ＰＱＩでパラメータセット＃１が設定されると、ＣＳＩ−ＲＳリソース＃１とＤＭ−ＲＳがＱＣＬされていると仮定し、上記ＰＱＩでパラメータセット＃２が設定されると、ＣＳＩ−ＲＳリソース＃２とＤＭ−ＲＳがＱＣＬされていると仮定することができる。
【０１０７】
以下、ＥＰＤＣＣＨ（Ｅｎｈａｎｃｅｄ−ＰＤＣＣＨ）について説明する。
【０１０８】
現在の無線通信環境は、Ｍ２Ｍ（Ｍａｃｈｉｎｅ−ｔｏ−Ｍａｃｈｉｎｅ）通信及び高いデータ伝送量を要求する様々なデバイスの出現及び普及により、セルラー網に対するデータ要求量が急増している。高いデータ要求量を満たすために、通信技術は、より多い周波数帯域を効率的に使用するための搬送波集成（ｃａｒｒｉｅｒ  ａｇｇｒｅｇａｔｉｏｎ）技術など、及び限られた周波数内でデータ容量を高めるための多重アンテナ技術、多重基地局協調技術などへと発展しており、通信環境は、ユーザの周辺にアクセス可能なノードの密度が高くなる方向に進化している。このような高い密度のノードを備えたシステムは、ノード間の協調によって一層高いシステム性能を示すことができる。このような方式は、各ノードが独立した基地局（Ｂａｓｅ  Ｓｔａｔｉｏｎ（ＢＳ）、Ａｄｖａｎｃｅｄ  ＢＳ（ＡＢＳ）、Ｎｏｄｅ−Ｂ（ＮＢ）、ｅＮｏｄｅ−Ｂ（ｅＮＢ）、Ａｃｃｅｓｓ  Ｐｏｉｎｔ（ＡＰ）など）として動作して互いに協調しない場合に比べて、格段に優れた性能を有する。
【０１０９】
１つのコントローラによって全ノードの送受信が管理され、各ノードが一つのセルの一部のアンテナ集団のように動作すると、このシステムは１つのセルを形成する分散多重ノードシステム（ｄｉｓｔｒｉｂｕｔｅｄ  ｍｕｌｔｉ  ｎｏｄｅ  ｓｙｓｔｅｍ；ＤＭＮＳ）と見なすことができる。このとき、各ノードは、個別のノードＩＤが与えられてもよく、個別のノードＩＤ無しでセル内の一部のアンテナのように動作してもよい。しかし、各ノードが個別のセル識別子（Ｃｅｌｌ  ｉｄｅｎｔｉｆｉｅｒ；ＩＤ）を有する場合は、多重セルシステムと見なすことができる。このような多重セルがカバレッジによって重なる形態で構成されると、これを多重ティアネットワーク（ｍｕｌｔｉ−ｔｉｅｒ  ｎｅｔｗｏｒｋ）と呼ぶ。
【０１１０】
上述した多重ノードシステム及びリレーノードの導入から様々な通信技法の適用が可能となり、チャネル品質の改善が可能であるが、上記のＭＩＭＯ技法及びセル間協調通信技法を多重ノード環境に適用するためには新しい制御チャネルを導入する必要がある。このような新しい制御チャネルとしてＥＰＤＣＣＨ（Ｅｎｈａｎｃｅｄ−ＰＤＣＣＨ）が議論されており、これは、既存の制御領域（以下、ＰＤＣＣＨ領域）ではなくデータ領域（以下、ＰＤＳＣＨ領域）で送信される。
【０１１１】
結論的に、このようなＥＰＤＣＣＨを介して各ＵＥ別にノードに関する制御情報を送信することが可能となり、既存のＰＤＣＣＨ領域が不足する問題も解決することができる。参考として、ＥＰＤＣＣＨは既存のレガシーＵＥには提供されず、ＬＴＥ−Ａ  ＵＥでのみ受信することができる。また、ＥＰＤＣＣＨは、既存のセル特定参照信号であるＣＲＳではなく、ＵＥ特定参照信号であるＤＭ−ＲＳに基づいて送信及び受信がなされる。
【０１１２】
以下、本発明に係る、ＵＥがネットワークにアシストされて能動的に隣接セルからの干渉を除去する方法について説明する。このような干渉除去技法を、ＮＡＩＣＳ（Ｎｅｔｗｏｒｋ  Ａｓｓｉｓｔｅｄ  Ｉｎｔｅｒｆｅｒｅｎｃｅ  Ｃａｎｃｅｌｌａｔｉｏｎ  ａｎｄ  Ｓｕｐｐｒｅｓｓｉｏｎ）と呼ぶ。
【０１１３】
図１２は、本発明が適用される下りリンクシステムの一般的な干渉環境を示す図である。特に、ＴＰ  ＃Ａが管轄するセルをセル＃Ａ、ＴＰ  ＃Ａと通信するユーザをＵＥ  ＃ａと仮定し、同様に、ＴＰ  ＃Ｂに対してもセル＃ＢとＵＥ  ＃ｂが存在すると仮定した。セル＃Ａとセル＃Ｂとが同一無線リソースを使用することから、ＵＥ  ＃ｂはセル境界に位置したユーザとしてセル＃Ａから干渉を受ける。
【０１１４】
以下では、セル＃Ａを干渉セル、ＴＰ  ＃Ａを干渉ＴＰと見なし、セル＃Ｂをサービングセル、ＴＰ  ＃ＢをサービングＴＰと見なし、ＵＥ  ＃ｂを干渉除去を行うＵＥ、すなわち、ＮＡＩＣＳ  ＵＥと定義する。ＮＡＩＣＳ  ＵＥであるＵＥ  ＃ｂは、干渉セルからの干渉信号を除去してデータ受信率を高めることができる。
【０１１５】
ＮＡＩＣＳ  ＵＥは干渉を効果的に除去するために、干渉信号に関する様々なパラメータをあらかじめ知っていなければならない。代表として、下記の表７に列挙された干渉ＴＰ情報及び干渉ＴＰのＰＤＳＣＨ情報を知っていなければならない。以下では、説明の便宜のために、干渉ＴＰのＰＤＳＣＨをＩ−ＰＤＳＣＨと表示する。
【０１１６】
【表７】
2016533680.tif 000019
【０１１７】
ＵＥ  ＃ｂは、自身のＰＤＳＣＨ受信リソースに対してセル＃Ａから干渉が存在する場合にＮＡＩＣＳを行い、干渉が存在しない場合には既存方式と同一にデータ復調（ｄｅｍｏｄｕｌａｔｉｏｎ）を行う。すなわち、ＵＥ  ＃ｂはまず、自身がセル＃Ａから干渉を受けているか否かを認知しなければならず、干渉を受けているか否かを認知する方法は、セル＃Ａの送信モードによって異なってもよい。
【０１１８】
例えば、干渉セルであるセル＃Ａが、ＤＭ−ＲＳベース送信モードである送信モード９又は送信モード１０で下りリンク送信を行う場合、ＵＥ  ＃ｂは、セル＃ＡのＤＭ−ＲＳを検出して干渉の有無を確認することができる。すなわち、ＵＥ  ＃ｂは、セル＃ＡのＤＭ−ＲＳシーケンスを生成した後、ＤＭ−ＲＳ  ＲＥで受信した信号とコリレーション（ｃｏｒｒｅｌａｔｉｏｎ）し、当該コリレーション値が大きいとセル＃Ａから干渉を受け、コリレーション値が小さいと干渉を受けない、と判断する。送信モード９及び送信モード１０はデータの有無によってＤＭ−ＲＳの有無が決定されるので、ＤＭ−ＲＳの検出からデータ干渉の有無も確認できる。
【０１１９】
本発明では、ＮＡＩＣＳ  ＵＥが上記のようにＤＭ−ＲＳ検出によって干渉の有無を把握する動作を容易にさせるために、ネットワークからの動的（ｄｙｎａｍｉｃ）シグナリング又は半−静的（ｓｅｍｉ−ｓｔａｔｉｃ）シグナリングを支援することを考慮する。より具体的に、本発明では、上記干渉セルから（或いは、サービングセルが直接）ＰＤＣＣＨ又はＥＰＤＣＣＨのような下りリンク制御チャネルを介して新しいフォーマットのＡ−ＤＣＩ（ａｓｓｉｓｔｉｎｇ−ＤＣＩ）を提供し、Ａ−ＤＣＩのペイロードコンテンツからＩ−ＰＤＳＣＨのＤＭ−ＲＳを検出できるように、ＤＭ−ＲＳ設定情報をＮＡＩＣＳ  ＵＥに伝達する方式を考慮する。
【０１２０】
当該ＮＡＩＣＳ  ＵＥに干渉を与えうる周辺セルが互いに異なるセル識別子（ｃｅｌｌ−ＩＤ）を有する場合、隣接した特定セル＃ｊから送信されるＩ−ＰＤＳＣＨに関する情報を含んでいるＡ−ＤＣＩ  ＃ｊは、当該セル＃ｊのＰＤＣＣＨで放送することができる。また、当該ＮＡＩＣＳ  ＵＥに干渉を与えうる周辺セルが同一のセル識別子を有する場合には、隣接した特定のＴＰ  ＃ｐから送信されるＩ−ＰＤＳＣＨに関する情報を含んでいるＡ−ＤＣＩ  ＃ｐは、当該ＴＰ  ＃ｐからのＥＰＤＣＣＨで放送されてもよい。この時にＴＰ  ＃ｐが放送するＥＰＤＣＣＨは、当該ＮＡＩＣＳ  ＵＥのＥＰＤＣＣＨ設定とは関係がなく、当該ＴＰ  ＃ｐが送信するＩ−ＰＤＳＣＨを実際受信しようとする隣接セルＵＥのＥＰＤＣＣＨ設定に属するものであるという特徴がある。
【０１２１】
そのために、ＮＡＩＣＳ  ＵＥは、特定ＴＰ  ＃ｐから放送する（Ａ−ＤＣＩ  ＃ｐを検出するための）ＥＰＤＣＣＨの設定情報を、事前に、ＲＲＣ信号のような上位層信号によって受信するようにする。言い換えると、ＮＡＩＣＳ  ＵＥは、自身がサービングセルから受信した少なくとも２個のＥＰＤＣＣＨ設定の他、周辺ＴＰの一つ以上のＥＰＤＣＣＨ設定をＮＡＩＣＳ動作のために受信することができ、このようなＮＡＩＣＳのための一つ以上のＥＰＤＣＣＨ設定に関する情報は、Ａ−ＤＣＩを受信するための用途のみに用いられるように制限されてもよい。
【０１２２】
また、このような用途のＮＡＩＣＳのためのＥＰＤＣＣＨ設定の複雑度（ｃｏｍｐｌｅｘｉｔｙ）を減らすためには、当該ＥＰＤＣＣＨ検索領域（ｓｅａｒｃｈ  ｓｐａｃｅ）に関する集成レベル（ａｇｇｒｅｇａｔｉｏｎ  ｌｅｖｅｌ）Ｌを特定値に制限、例えば、低い集成レベルを１又は２のように低い値に制限したり、４，８及び１６のように高い集成レベルに制限するなどの方法によって、ＮＡＩＣＳ  ＵＥのブラインドデコーディング回数を減らすことができる。
【０１２３】
一方、このような用途のＮＡＩＣＳのためのＥＰＤＣＣＨ設定は、ビームフォーミングが適用されない分散的（ｄｉｓｔｒｉｂｕｔｅｄ）ＥＰＤＣＣＨにのみ設定されるように制限することもできる。これは、局地的（ｌｏｃａｌｉｚｅｄ）ＥＰＤＣＣＨではビームフォーミングが適用され、Ａ−ＤＣＩのような制御信号が放送される場合にはビームフォーミングを適用することが適切でないためである。
【０１２４】
図１３は、本発明の実施例に係るＡ−ＤＣＩのペイロードコンテンツを例示する図である。
【０１２５】
図１３を参照すると、Ａ−ＤＣＩのペイロードコンテンツは、サブバンド単位、ＰＲＧ（Ｐｈｙｓｉｃａｌ  Ｒｅｓｏｕｒｃｅ  Ｇｒｏｕｐ）又はＰＲＢ（Ｐｈｙｓｉｃａｌ  Ｒｅｓｏｕｒｃｅ  Ｂｌｏｃｋ）などのような特定周波数単位に設定することができる。以下では、説明の便宜のために、サブバンド単位にＩ−ＰＤＳＣＨ情報がペイロードに含まれると仮定する。
【０１２６】
Ａ−ＤＣＩは、ＮＡＩＣＳ−ＲＮＴＩのような特定ＲＮＴＩでＣＲＣマスキングすることができ、このような特定ＲＮＴＩ情報は、事前にＮＡＩＣＳ  ＵＥにＲＲＣシグナリングで提供することができる。また、このような特定ＲＮＴＩは、Ｋ個のサブバンド別に及び／又はＮビットサイズであるＡ−ＤＣＩのペイロード別に独立して設定されてもよい。
【０１２７】
図１３で、各サブバンド別Ｉ−ＰＤＳＣＨ情報のペイロードサイズＮビットの値、これらのＮビットを構成する、ＭＣＳ関連Ｎ１ビット、ＤＭ−ＲＳ関連Ｎ２ビット、ＰＱＩ関連Ｎ３ビットのコンテンツ、Ｎ１、Ｎ２、Ｎ３のそれぞれの値を示す情報は、ＲＲＣシグナリングのような上位層信号によってＮＡＩＣＳ  ＵＥに事前に提供されなければならない。このような上位層信号の例を、次の表８に示す。ただし、本発明ではＳＬＩＣ（ｓｙｍｂｏｌ−ｌｅｖｅｌ  ｉｎｔｅｒｆｅｒｅｎｃｅ  ｃａｎｃｅｌｉｎｇ）を考慮するので、コーディングレートのような情報は不要である。次の表８で、Ｎは７ビットであり、送信モード９のＩ−ＰＤＳＣＨのみ存在すると仮定する。
【０１２８】
【表８】
2016533680.tif 000020
【０１２９】
上記の表８のように、ＤＭ−ＲＳ  Ｎ２ビットを３ビットとし、上記のようにＲＲＣシグナリングで設定した場合、これは、Ｉ−ＰＤＳＣＨがランク３以内で送信されるという制限が付加されたものと解釈されてもよい。すなわち、事前に干渉セルはサービングセルに、自身がスケジューリングするＩ−ＰＤＳＣＨの場合、ランク３以内でスケジューリングをするという情報をＸ２−シグナリングなどを用いて知らせることができる。又は、サービングセルが特定干渉セルに上記のような特定ランク制限を要請することもできる。このとき、干渉セルは、当該要請を受諾してもよいが、拒絶してもよい。或いは、干渉セルが、他の最大ランク値を、上記要請に対する応答メッセージに含めることもできる。このようなセル間交渉によって干渉セルの最大ランクが認知できると、サービングセルは、その最大ランク内で、表８のように適切なＤＭ−ＲＳ  Ｎ２ビット及びそれに対応するステートを構成し、これをＮＡＩＣＳ  ＵＥにＲＲＣシグナリングを用いてあらかじめ提供することができる。
【０１３０】
表８で、Ｎ３＝２ビットサイズのＰＱＩのように、Ｉ−ＰＤＳＣＨのＰＤＳＣＨ開始シンボルインデックス（ＰＤＳＣＨ＿ｓｔａｒｔ）、Ｉ−ＰＤＳＣＨに対するＺＰ  ＣＳＩ−ＲＳレートマッチング（ｒａｔｅ  ｍａｔｃｈｉｎｇ）情報（ＩＤ＿ＺＰ−ＣＳＩＲＳ＿ＮＡＩＣＳ）、Ｉ−ＰＤＳＣＨに対するＱＣＬ仮定が可能なＮＺＰ  ＣＳＩ−ＲＳ情報（ＩＤ＿ＱＣＬｅｄ＿ＣＳＩＲＳ＿ＮＡＩＣＳ）などを上記のような形態でＲＲＣ設定してＮＡＩＣＳ  ＵＥに提供することができる。したがって、ＰＱＩ  Ｎ３ビットのうち特定ステートが上記Ａ−ＤＣＩのペイロードコンテンツによって動的に指示され、これによって、ＮＡＩＣＳ  ＵＥがＩ−ＰＤＳＣＨを検出してＳＬＩＣを行うことができる。
【０１３１】
表８では、Ｉ−ＰＤＳＣＨが送信モード９で干渉セル（又は、干渉ＴＰ）から送信される場合を仮定しており、このため、ＰＱＩパラメータのうち、ＣＲＳアンテナポートの個数（ｃｒｓ−ＰｏｒｔｓＣｏｕｎｔ）、ＣＲＳ周波数遷移値（ｃｒｓ−ＦｒｅｑＳｈｉｆｔ）、ＭＢＳＦＮサブフレーム情報（ＩＤ＿ｍｂｓｆｎ−ＳｕｂｆｒａｍｅＣｏｎｆｉｇＬｉｓｔ）などは省略されていることがわかる。これは、ＮＡＩＣＳ  ＵＥはＡ−ＤＣＩを検出するために干渉セルのＰＣＩ（Ｐｈｙｓｉｃａｌ  Ｃｅｌｌ  ＩＤ）を既にＲＲＣシグナリングで受信している状態であり、当該干渉セルのＰＣＩで生成されたＣＲＳシーケンスを用いて上記Ａ−ＤＣＩを検出したはずであるからである。したがって、省略されたＣＲＳポートの個数、ＣＲＳ周波数遷移値、ＭＢＳＦＮサブフレーム情報はいずれも、当該干渉セルのＰＣＩ及びＣＲＳを用いて検出した当該干渉セルの情報をそのままＩ−ＰＤＳＣＨ検出時に適用することができる。
【０１３２】
また、上記の表８ではＩＤ＿ＺＰ−ＣＳＩＲＳ＿ＮＡＩＣＳとＩＤ＿ＱＣＬｅｄ＿ＣＳＩＲＳ＿ＮＡＩＣＳがいずれも共通に設定されており、このような共通情報も省略可能である。ただし、これらの情報は、当該干渉セルのＣＲＳとの連動関係が事前に提供されなければならない。代表的な連動情報は、ＮＺＰ  ＣＳＩ−ＲＳの場合、ＱＣＬ仮定が可能なＣＲＳ情報でよい。ＺＰ  ＣＳＩ−ＲＳの場合には、別途に連動情報が設定されなければならない。
【０１３３】
また、上記ＰＱＩ  Ｎ３ビットにおいて省略された情報は、当該Ａ−ＤＣＩが検出されたセルの情報に従うというＵＥ動作が定義されてもよく、或いは、この動作が上記ＲＲＣシグナリング情報などに追加され、動作を適用するか否かが上位層信号によってさらに制御されるようにしてもよい。
【０１３４】
もちろん、ＩＤ＿ＺＰ−ＣＳＩＲＳ＿ＮＡＩＣＳ及びＩＤ＿ＱＣＬｅｄ＿ＣＳＩＲＳ＿ＮＡＩＣＳのそれぞれのＩＤ別にＺＰ−ＣＳＩ−ＲＳ設定及びＮＺＰ−ＣＳＩ−ＲＳ設定情報が他のＲＲＣシグナリングによってＮＡＩＣＳ  ＵＥに提供されなければならない。
【０１３５】
次に、送信モード１０のＩ−ＰＤＳＣＨの送信が可能な場合まで含む例を、表９に示す。下記の表９は、Ｎは１０ビットであり、送信モード９のＩ−ＰＤＳＣＨと送信モード１０のＩ−ＰＤＳＣＨが共存すると仮定する。同様に、ＳＬＩＣを考慮しているので、コーディングレートのような情報は不要である。
【０１３６】
【表９】
2016533680.tif 000021
【０１３７】
ＤＭ−ＲＳ  Ｎ２ビットを５ビットに設定した上記の表９は、Ｉ−ＰＤＳＣＨがランク３以内で送信されるという制限が干渉セルによって知らされた場合の実施例と考えることができる。ただし、表８との主な相違は、Ｎ２ビットによって定義される各ステートごとにｎ＾ＤＭ−ＲＳ＿ＩＤが｛０，１，２，３｝のうちいずれの値であるかが異なるように示されているという点である。ここで、ｎ＾ＤＭ−ＲＳ＿ＩＤは、当該ＤＭ−ＲＳ検出時に使われる０から５０３までのＤＭ−ＲＳシーケンススクランブリング初期値パラメータを示しており、そのために、各ｎ＾ＤＭ−ＲＳ＿ＩＤごとに正確にいずれの初期値パラメータであるかが、上記ＲＲＣシグナリングに含まれて設定されたり、別途のＲＲＣシグナリングフォーマットで設定されているようにする。
【０１３８】
表９のように、ＰＱＩ  Ｎ３ビットによって指示されるＩ−ＰＤＳＣＨのＰＤＳＣＨ開始シンボルインデックス、Ｉ−ＰＤＳＣＨに対するＺＰ  ＣＳＩ−ＲＳレートマッチング（ｒａｔｅ  ｍａｔｃｈｉｎｇ）情報、Ｉ−ＰＤＳＣＨに対するＱＣＬ仮定が可能なＮＺＰ  ＣＳＩ−ＲＳ情報、ＣＲＳアンテナポートの個数（ｃｒｓ−ＰｏｒｔｓＣｏｕｎｔ）、ＣＲＳ周波数遷移値（ｃｒｓ−ＦｒｅｑＳｈｉｆｔ）、ＭＢＳＦＮサブフレーム設定情報（ＩＤ＿ｍｂｓｆｎ−ＳｕｂｆｒａｍｅＣｏｎｆｉｇＬｉｓｔ）などは上記の表９のような形態で構成し、あらかじめＲＲＣシグナリングでＮＡＩＣＳ  ＵＥに提供することができる。そして、ＰＱＩ  Ｎ３ビットによって定義される特定ステートが上記Ａ−ＤＣＩのペイロードコンテンツによって動的に指示されることにより、ＮＡＩＣＳ  ＵＥがＩ−ＰＤＳＣＨを検出してＳＬＩＣを行えるようにする。
【０１３９】
また、上記のＩＤ＿ＺＰ−ＣＳＩＲＳ＿ＮＡＩＣＳ、ＩＤ＿ＱＣＬｅｄ＿ＣＳＩＲＳ＿ＮＡＩＣＳ、ｃｒｓ−ＰｏｒｔｓＣｏｕｎｔ、ｃｒｓ−ＦｒｅｑＳｈｉｆｔ、ＩＤ＿ｍｂｓｆｎ−ＳｕｂｆｒａｍｅＣｏｎｆｉｇＬｉｓｔなどは特定インデックス形態に簡略化されてもよく、この場合、各インデックスが正確にいかなる値（又は、いかなるビットマップ情報）であるかなどの情報は、他のＲＲＣシグナリングによって別途にＮＡＩＣＳ  ＵＥに提供されていてもよい。
【０１４０】
下記の表１０に、他の実施例を示す。特に、表１０は、Ｎは５ビットであり、送信モード９のＩ−ＰＤＳＣＨ及び送信モード１０のＩ−ＰＤＳＣＨが共存すると仮定する。同様に、ＳＬＩＣを考慮しているので、コーディングレートのような情報は不要である。
【０１４１】
【表１０】
2016533680.tif 000022
【０１４２】
上記の表１０でＰＱＩ  Ｎ３のサイズは０ビットであるから、Ｉ−ＰＤＳＣＨに対するＺＰ  ＣＳＩ−ＲＳレートマッチング（ｒａｔｅ  ｍａｔｃｈｉｎｇ）情報、Ｉ−ＰＤＳＣＨに対するＱＣＬ仮定が可能なＮＺＰ  ＣＳＩ−ＲＳ情報、ＣＲＳアンテナポートの個数（ｃｒｓ−ＰｏｒｔｓＣｏｕｎｔ）、ＣＲＳ周波数遷移値（ｃｒｓ−ＦｒｅｑＳｈｉｆｔ）、ＭＢＳＦＮサブフレーム設定情報（ＩＤ＿ｍｂｓｆｎ−ＳｕｂｆｒａｍｅＣｏｎｆｉｇＬｉｓｔ）のうち少なくとも一つは、Ａ−ＤＣＩが検出された特定ＥＰＤＣＣＨ設定（ＲＲＣシグナリングで事前に提供）で指示する特定ＰＱＩパラメータセットにそのまま従うようにすることができる。
【０１４３】
上記の表１０のような形態でデザインされたＡ−ＤＣＩを受信するＵＥの動作について詳述すると、次のとおりである。ＵＥは事前に複数のＥＰＤＣＣＨ設定情報を受信することができる。この情報は、特定隣接セルの他のＵＥに実際に設定可能な特定ＥＰＤＣＣＨ設定を全て含み得る形態でなければならない。言い換えると、隣接セルのＵＥに実際に提供されるＥＰＤＣＣＨ設定には特定ＰＱＩパラメータセット情報に対するインデックス情報だけが含まれてもよいが、ＮＡＩＣＳ  ＵＥに提供される情報は、インデックス形態の情報ではなく、当該ＰＱＩパラメータセット情報を直接指示する形態で提供されてもよい。
【０１４４】
したがって、ＮＡＩＣＳ  ＵＥは、隣接セルに対するＣＲＳリスト情報から、まず、最も強い信号強度で検出される特定ＣＲＳを探し、ここにＱＣＬ仮定が可能なＮＺＰ  ＣＳＩ−ＲＳのうち、最も強い信号強度で検出される特定ＮＺＰ  ＣＳＩ−ＲＳを探す。その後、特定ＮＺＰ  ＣＳＩ−ＲＳを上記“ＩＤ＿ＱＣＬｅｄ＿ＣＳＩＲＳ＿ＮＡＩＣＳ”形態の設定情報として含んでいる特定ＥＰＤＣＣＨ設定を探す。これを用いて、ＥＰＤＣＣＨでＡ−ＤＣＩの検出を試みると同時に、特定ＥＰＤＣＣＨ設定で提供しているＤＭ−ＲＳ＿ＩＤ、ＰＤＳＣＨ開始シンボルインデックス、ＺＰ  ＣＳＩ−ＲＳレートマッチング（ｒａｔｅ  ｍａｔｃｈｉｎｇ）情報、ＱＣＬ仮定が可能なＮＺＰ  ＣＳＩ−ＲＳ情報、ＣＲＳアンテナポートの個数、ＣＲＳ周波数遷移値、ＭＢＳＦＮサブフレーム設定情報のうち少なくとも一つの情報をそのまま適用し、上記検出されたＡ−ＤＣＩが示している情報とともにＩ−ＰＤＳＣＨを検出する。
【０１４５】
また、ＤＭ−ＲＳ  Ｎ２ビットに関しては、隣接セル（又は、隣接ＴＰ）の間にバックホールシグナリングを用いて特定ＴＰが自身がスケジューリングするＵＥに対する最大ランク（又は、最大レイヤ個数）ｖを決定し、これを他のＴＰに知らせることができる。ＤＭ−ＲＳ  Ｎ２ビットは、上記ｖ値によって次の表１１のように定義されて使用されてもよく、ＲＲＣシグナリングによってＮＡＩＣＳ  ＵＥに半−静的に提供されてもよい。特に、下記の表１１の全てのステートに対しては、上記の表１０のように、Ａ−ＤＣＩが検出されたＥＰＤＣＣＨのＤＭ−ＲＳ＿ＩＤがｎ＾ＤＭ−ＲＳ＿ＩＤと同一であると定義されてもよい。
【０１４６】
【表１１】
2016533680.tif 000023
【０１４７】
本発明において、Ａ−ＤＣＩの特定Ｉ−ＰＤＳＣＨ情報に関するペイロードサイズは、Ｎビットに加えて、当該Ｉ−ＰＤＳＣＨがＣＲＳベースＰＤＳＣＨか又はＤＭ−ＲＳベースＰＤＳＣＨかを示す１ビット指示子が追加されてもよい。又は、当該Ｉ−ＰＤＳＣＨがＰＤＳＣＨか又はＥＰＤＣＣＨかを示す１ビット指示子が追加されてもよい。このようにＰＤＳＣＨか又はＥＰＤＣＣＨかを知らせる１ビット指示子は、上記の例において‘Ｒｅｓｅｒｖｅｄ’ステートを活用し、そこにマップする方式も可能である。
【０１４８】
ただし、‘Ｒｅｓｅｒｖｅｄ’ステートに、このようなＩ−ＰＤＳＣＨがＰＤＳＣＨか又はＥＰＤＣＣＨかを知らせる指示子がマップされた場合には、この指示子がＥＰＤＣＣＨを示すと、該当のサブバンドをＰＲＢ対よりも小さいレベルに分けて検出を試みなければならず、複雑度が増加しうる。このため、当該サブバンドは、ＮＡＩＣＳ  ＵＥが検出を試みる対象から除外してもよい。すなわち、他のＵＥ、例えば、隣接セル内のＵＥのためのＥＰＤＣＣＨの場合、当該ＥＰＤＣＣＨが局地的ＥＰＤＣＣＨか或いは分散的ＥＰＤＣＣＨかによって、又は当該ＥＰＤＣＣＨが実際に送信されるＥＣＣＥの位置などによって、ＩＣＳ動作適用時に却って性能低下を招く可能性もあるので、ＮＡＩＣＳ対象から除外することが好ましい。
【０１４９】
Ｉ−ＰＤＳＣＨであるＥＰＤＣＣＨに対する干渉除去を制限するための他の方法として、隣接セルの代表ＥＰＤＣＣＨセット（例えば、隣接セルに影響を与えうるＵＥが使用するＥＰＤＣＣＨセットのスーパーセット（ｓｕｐｅｒ−ｓｅｔ））をシグナルすることもできる。また、このようにＩ−ＰＤＳＣＨがＣＲＳベースＰＤＳＣＨか或いはＤＭ−ＲＳベースＰＤＳＣＨかとＰＤＳＣＨか或いはＥＰＤＣＣＨかが互いにジョイントエンコーディング（ｊｏｉｎｔ  ｅｎｃｏｄｉｎｇ）されて２ビット指示子で適用される方式も可能である。
【０１５０】
また、上述したように、特定の形態と定められたＮビット情報において、万一当該Ａ−ＤＣＩを送信する隣接セル（或いは、隣接ＴＰ）で各サブバンド単位のペイロードサイズをＮビットからＮ−ｎビットと縮小させ、計（Ｎ−ｎ）Ｋのペイロードサイズを有するＡ−ＤＣＩを放送しようとする場合には、ＮＡＩＣＳ  ＵＥに対して、いかなる優先順位規則によって、上記Ｎ１、Ｎ２、Ｎ３ビットに該当する情報が、縮小した形態のＮ−ｎビットにマップされるかが定義されたりＲＲＣシグナリングなどで設定されてもよい。
【０１５１】
例えば、ｎ＝１の場合、Ｎ２ビットの代わりに、Ｎ２−１ビットのテーブルを適用するように設定されてもよい。例えば、最大レイヤの個数ｖに対する表１１で、Ｎ２−１ビットのみが適用されるように、より一層低いｖ値が適用されるように具現されてもよい。
【０１５２】
また、ｎ＝２の場合、Ｎ２ビットの代わりに、Ｎ２−１ビットのテーブルを適用すると同時に、Ｎ１−１ビット分だけの変調次数（ｍｏｄｕｌａｔｉｏｎ  ｏｒｄｅｒ）のみが適用されるようにすることができる。例えば、上述した表８乃至表１０で、ＭＣＳ  Ｎ１＝２ビットにおいて、Ｎ１−１ビットに変更する場合、‘００’：ＱＰＳＫ及び‘０１’：１６ＱＡＭのみが適用されるように具現することもできる。
【０１５３】
図１４は、本発明の一実施例に係る通信装置のブロック構成図である。
【０１５４】
図１４を参照すると、通信装置１４００は、プロセッサ１４１０、メモリ１４２０、ＲＦモジュール１４３０、ディスプレイモジュール１４４０、及びユーザインターフェースモジュール１４５０を備えている。
【０１５５】
通信装置１４００は説明の便宜のために示されたもので、一部のモジュールは省略されてもよい。また、通信装置１４００は必要なモジュールをさらに備えてもよい。また、通信装置１４００において一部のモジュールはより細分化したモジュールに区分されてもよい。プロセッサ１４１０は、図面を参照して例示した本発明の実施例に係る動作を実行するように構成される。具体的に、プロセッサ１４１０の詳細な動作は、図１乃至図１３に記載された内容を参照すればよい。
【０１５６】
メモリ１４２０は、プロセッサ１４１０に接続し、オペレーティングシステム、アプリケーション、プログラムコード、データなどを格納する。ＲＦモジュール１４３０は、プロセッサ１４１０に接続し、基底帯域信号を無線信号に変換したり、無線信号を基底帯域信号に変換する機能を果たす。そのために、ＲＦモジュール１４３０は、アナログ変換、増幅、フィルタリング及び周波数アップ変換又はこれらの逆過程を行う。ディスプレイモジュール１４４０は、プロセッサ１４１０に接続し、様々な情報をディスプレイする。ディスプレイモジュール１４４０は、特に制限されるものではなく、ＬＣＤ（Ｌｉｑｕｉｄ  Ｃｒｙｓｔａｌ  Ｄｉｓｐｌａｙ）、ＬＥＤ（Ｌｉｇｈｔ  Ｅｍｉｔｔｉｎｇ  Ｄｉｏｄｅ）、ＯＬＥＤ（Ｏｒｇａｎｉｃ  Ｌｉｇｈｔ  Ｅｍｉｔｔｉｎｇ  Ｄｉｏｄｅ）のような周知の要素を用いることができる。ユーザインターフェースモジュール１４５０は、プロセッサ１４１０に接続し、キーパッド、タッチスクリーンなどのような周知のユーザインターフェースの組合せで構成可能である。
【０１５７】
以上説明してきた実施例は、本発明の構成要素及び特徴を所定の形態で結合したものである。各構成要素又は特徴は、別の明示的な言及がない限り、選択的なものとして考慮しなければならない。各構成要素又は特徴は、他の構成要素や特徴と結合しない形態で実施することもでき、一部の構成要素及び／又は特徴を結合して本発明の実施例を構成することもできる。本発明の実施例で説明される動作の順序は変更されてもよい。ある実施例の一部構成や特徴は、他の実施例に含まれてもよく、他の実施例の対応する構成又は特徴に取り替わってもよい。特許請求の範囲において明示的な引用関係にない請求項を結合して実施例を構成したり、出願後の補正により新しい請求項として含めたりできることは明らかである。
【０１５８】
本文書で基地局によって行われるとした特定動作は、場合によってはその上位ノード（ｕｐｐｅｒ  ｎｏｄｅ）によって行われることもある。すなわち、基地局を含む複数のネットワークノード（ｎｅｔｗｏｒｋ  ｎｏｄｅｓ）からなるネットワークにおいてＵＥとの通信のために行われる様々な動作は、基地局又は基地局以外の他のネットワークノードによって行われ得ることは明らかである。基地局は、固定局（ｆｉｘｅｄ  ｓｔａｔｉｏｎ）、ＮｏｄｅＢ、ｅＮｏｄｅＢ（ｅＮＢ）、アクセスポイント（ａｃｃｅｓｓ  ｐｏｉｎｔ）などの用語にしてもよい。
【０１５９】
本発明に係る実施例は、様々な手段、例えば、ハードウェア、ファームウェア（ｆｉｒｍｗａｒｅ）、ソフトウェア又はそれらの結合などによって具現することができる。ハードウェアによる具現では、本発明の一実施例は、一つ又はそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどによって具現することができる。
【０１６０】
ファームウェアやソフトウェアによる具現では、本発明の一実施例は、以上で説明された機能又は動作を実行するモジュール、手順、関数などの形態で具現されてもよい。ソフトウェアコードは、メモリユニットに記憶され、プロセッサによって駆動可能である。メモリユニットは、プロセッサの内部又は外部に設けられ、公知の様々な手段によってプロセッサとデータを交換することができる。
【０１６１】
本発明は、本発明の特徴から逸脱しない範囲で別の特定の形態に具体化できるということが当業者にとっては自明である。したがって、上記の詳細な説明は、いずれの面においても制限的に解釈してはならず、例示的なものとして考慮しなければならない。本発明の範囲は、添付の請求項の合理的な解釈によって決定すべきであり、本発明の等価的範囲内における変更はいずれも本発明の範囲に含まれる。
【産業上の利用可能性】
【０１６２】
上述したような無線通信システムにおいてＵＥが隣接セルからの干渉を除去する方法及びそのための装置は、３ＧＰＰ ＬＴＥシステムに適用される例を中心に説明されたが、３ＧＰＰ ＬＴＥシステムの他、様々な無線通信システムにも適用可能である。
【図１】
2016533680.tif 000024
【図２】
2016533680.tif 000025
【図３】
2016533680.tif 000026
【図４】
2016533680.tif 000027
【図５】
2016533680.tif 000028
【図６】
2016533680.tif 000029
【図７】
2016533680.tif 000030
【図８】
2016533680.tif 000031
【図９】
2016533680.tif 000032
【図１０】
2016533680.tif 000033
【図１１】
2016533680.tif 000034
【図１２】
2016533680.tif 000035
【図１３】
2016533680.tif 000036
【図１４】
2016533680.tif 000037
【国際調査報告】
2016533680.tif 000038
2016533680.tif 000039
2016533680.tif 000040
2016533680.tif 000041